(57)【要約】【課題】画像読み取り装置において、原稿台の取り付け作業を容易なものとすることにより、生産効率の向上を図る。【解決手段】原稿台２の第１端縁２ａが表面当接凸部９１と裏面係合爪部９２との間に矢印Ｂ方向に差し込まれる。その後、表面当接凸部９１を支点として矢印Ｃ方向に原稿台２を回転させる。これにより、原稿台２の第１端縁２ａと第２筐体９の裏面係合爪部９２とが係合し、原稿台２の第１端縁２ａが第２筐体９の第１端縁保持部９ｂによって保持され、容易かつ迅速に原稿台２の第１端縁２ａが第２筐体９の第１端縁保持部９ｂに装着可能とされる。【選択図】図７
2009141701.tif 000002
【特許請求の範囲】
【請求項１】
原稿が載置される透光性を有する矩形の原稿台と、この原稿台に載置された原稿に対して光を照射してその反射光を受光することにより原稿の画像を読み取る画像読み取り手段と、この画像読み取り手段を収容すると共に、前記原稿台を支持する筐体とを備え、
前記筐体は、前記画像読み取り手段から出射された光を前記原稿台に載置された原稿に透過させるための開口を有する画像読み取り装置において、
前記筐体は、前記開口の周縁部において、前記原稿台の第１端縁を保持するための第１端縁保持部と、該原稿台の第１端縁と対向する第２端縁を保持するための第２端縁保持部を有し、
前記第１端縁保持部は、前記筐体の内面側に突き出して前記原稿台の表面と当接する表面当接凸部と、この表面当接凸部よりも前記原稿台の第１端縁の先端側において前記筐体の内面側及び内側に突き出して前記原稿台の裏面と係合する裏面係合爪部を有し、
前記表面当接凸部と裏面係合爪部との間に前記原稿台の第１端縁を差し込んで、前記表面当接凸部を支点として前記第２端縁が前記第２端縁保持部に接近する方向に該原稿台を回転させることにより、裏面係合爪部と前記原稿台の第１端縁とを係合させて、該第１端縁を保持可能としたことを特徴とする画像読み取り装置。
【請求項２】
前記表面当接凸部は、前記原稿台の第１端縁の先端側が斜面状に形成されていることを特徴とする請求項１に記載の画像読み取り装置。
【請求項３】
前記裏面係合爪部は、前記原稿台の回転の際に、前記第１端縁の先端と当接する先端当接突起を有していることを特徴とする請求項１に記載の画像読み取り装置。
【請求項４】
前記第２端縁保持部は、前記原稿台の第２端縁に装着されて該第２端縁に沿って摺動する摺動部材が装着され、該原稿台が前記筐体に装着された状態で該摺動部材と係合されて該摺動部材の摺動をガイドするガイド係合爪部を有し、
前記摺動部材とガイド係合爪部との係合により、前記原稿台の第２端縁を保持可能としたことを特徴とする請求項１に記載の画像読み取り装置。
【発明の詳細な説明】
【技術分野】
【０００１】
本発明は、原稿台に載置された原稿の画像を読み取って電子データに変換する画像読み取り装置に関するものである。
【背景技術】
【０００２】
従来から、原稿台の支持構造について種々の提案がなされている。例えば、特許文献１及び特許文献２には、原稿台の取り付けを容易にするため、又は原稿台の破損を防止するために、ねじりコイルばねや  板ばね等の弾性部材を備えた画像読み取り装置が示されている。また、特許文献３には、可撓性部材と係止フックによって原稿台を支持する画像読み取り装置が示されている。また、特許文献４には、断面がコの字状の溝によって原稿台を支持する画像読み取り装置が示されている。また、特許文献５には、操作ボタン又はその基板を原稿台と筐体との間に挟持して固定する画像読み取り装置が示されている。
【特許文献１】特開平１１−２９８６８５号公報
【特許文献２】特開平２−２９０６７号公報
【特許文献３】特開２０００−１８０９９４号公報
【特許文献４】特開２００４−３４３１８５号公報
【特許文献５】特開２００１−３１３７５８号公報
【発明の開示】
【発明が解決しようとする課題】
【０００３】
しかしながら、上記特許文献１乃至特許文献３に示されている画像読み取り装置にあっては、原稿台を筐体に取り付ける際、弾性部材又は可撓性部材を変形させる必要があるため、原稿台の取り付け作業に力と熟練を要し、量産に適さない。また、上記技術とは別に、両面粘着テープを用いて原稿台を筐体に固定する手法が従来から採用されているが、このような手法にあっても、両面粘着テープの貼り付け工程が生ずることから、装置の生産効率が悪化する問題があった。
【０００４】
本発明は、上記課題を解決するためになされたものであり、原稿台の取り付け作業を容易なものとすることにより、生産効率の向上を図ることができる画像読み取り装置を提供することを目的とする。
【課題を解決するための手段】
【０００５】
上記目的を達成するために請求項１の発明は、
原稿が載置される透光性を有する矩形の原稿台と、この原稿台に載置された原稿に対して光を照射してその反射光を受光することにより原稿の画像を読み取る画像読み取り手段と、この画像読み取り手段を収容すると共に、前記原稿台を支持する筐体とを備え、
前記筐体は、前記画像読み取り手段から出射された光を前記原稿台に載置された原稿に透過させるための開口を有する画像読み取り装置において、
前記筐体は、前記開口の周縁部において、前記原稿台の第１端縁を保持するための第１端縁保持部と、該原稿台の第１端縁と対向する第２端縁を保持するための第２端縁保持部を有し、
前記第１端縁保持部は、前記筐体の内面側に突き出して前記原稿台の表面と当接する表面当接凸部と、この表面当接凸部よりも前記原稿台の第１端縁の先端側において前記筐体の内面側及び内側に突き出して前記原稿台の裏面と係合する裏面係合爪部を有し、
前記表面当接凸部と裏面係合爪部との間に前記原稿台の第１端縁を差し込んで、前記表面当接凸部を支点として前記第２端縁が前記第２端縁保持部に接近する方向に該原稿台を回転させることにより、裏面係合爪部と前記原稿台の第１端縁とを係合させて、該第１端縁を保持可能としたものである。
【０００６】
請求項２の発明は、請求項１に記載の画像読み取り装置において、
前記表面当接凸部は、前記原稿台の第１端縁の先端側が斜面状に形成されているものである。
【０００７】
請求項３の発明は、請求項１に記載の画像読み取り装置において、
前記裏面係合爪部は、前記原稿台の回転の際に、前記第１端縁の先端と当接する先端当接突起を有しているものである。
【０００８】
請求項４の発明は、請求項１に記載の画像読み取り装置において、
前記第２端縁保持部は、前記原稿台の第２端縁に装着されて該第２端縁に沿って摺動する摺動部材が装着され、該原稿台が前記筐体に装着された状態で該摺動部材と係合されて該摺動部材の摺動をガイドするガイド係合爪部を有し、
前記摺動部材とガイド係合爪部との係合により、前記原稿台の第２端縁を保持可能としたものである。
【発明の効果】
【０００９】
請求項１の発明によれば、表面当接凸部と裏面係合爪部との間に原稿台の第１端縁を差し込んで、表面当接凸部を支点として原稿台を回転させることにより、裏面係合爪部と原稿台の第１端縁とを係合させることができ、第１端縁が第１端縁保持部によって保持される。これにより、両面粘着テープを用いることなく原稿台を容易に筐体に組み込むことができ、画像読み取り装置の生産効率の向上を図ることが可能となる。また、表面当接凸部及び裏面係合爪部を筐体と一体的に成形することにより、部品点数も抑制することができ、画像読み取り装置の製造コストの削減を図ることができる。
【００１０】
請求項２の発明によれば、表面当接凸部が斜面状に形成されているので、原稿台の第１端縁の差し込み作業を容易かつ円滑に行うことができ、生産効率のより一層の向上を図ることができる。
【００１１】
請求項３の発明によれば、裏面係合爪部に形成されている先端当接突起が、原稿台の回転の際に原稿台の第１端縁の先端と当接するので、原稿台を正確に位置決めしつつ回転させることができる。これにより、原稿台の組み込み作業を容易かつ円滑に行うことができ、生産効率のより一層の向上を図ることができる。
【００１２】
請求項４の発明によれば、摺動部材とガイド係合爪部との係合により、原稿台の第２端縁を保持することができるので、両面粘着テープを用いることなく原稿台を容易に筐体に組み込むことができ、画像読み取り装置の生産効率の向上を図ることが可能となる。
【発明を実施するための最良の形態】
【００１３】
本発明の実施形態による画像読み取り装置について図面を参照して説明する。図１は画像読み取り装置の概略を示している。画像読み取り装置１は、原稿台２に密着するように載置された原稿に光を照射してその反射光を電気信号に変換することにより、原稿の画像を読み取る密着型イメージセンサ（画像読み取り手段）４を備えた、いわゆるＣＩＳイメージスキャナである。画像読み取り装置１は、図１に示すように単体のイメージスキャナとしての形態の他、いわゆる複合機として画像形成装置と組み合わされた形態としても用いられている。
【００１４】
画像読み取り装置１は、透明の原稿台２と、原稿台２に載置された原稿に対して主走査方向の所定の範囲に光を照射してその反射光を受光しながら副走査方向に移動し、その反射光を受光することにより原稿の画像を読み取る密着型イメージセンサ４と、密着型イメージセンサ４を副走査方向に駆動するイメージセンサ駆動機構（駆動手段）５と、密着型イメージセンサ４によって読み取られた画像の画像データを記憶するメモリ６と、各部の制御を司るＣＰＵ（制御手段）７と、密着型イメージセンサ４、イメージセンサ駆動機構５、メモリ６及びＣＰＵ７を収容する第１筐体８と、第１筐体８の上部に設けられ、原稿台２を支持する第２筐体９と、原稿を抑えると共に外部からの光を遮蔽するために第２筐体９の上部に開閉自在に設けられた蓋部材１０等を有している。第２筐体９の原稿台２が装着される部分には、密着型イメージセンサ４から出射された光を原稿台２に載置された原稿に透過せるための開口９ａが形成されている。
【００１５】
図２は、天地を逆にして内面側から視た原稿台２及び第２筐体９を示している。原稿台２は、例えばガラス等の透光性を有する材料によって矩形状に形成されている。原稿台２は、第２筐体９に形成されている第１端縁保持部９ｂ及び第２端縁保持部９ｃによって保持されている。第１端縁保持部９ｂ及び第２端縁保持部９ｃは、開口９ａの周縁部に形成されている。原稿台２は、開口９ａよりも大きく形成され、その第１端縁２ａが第１端縁保持部９ｂによって、及び第１端縁２ｂが第２端縁保持部９ｃによってそれぞれ保持されている。
【００１６】
図３は、第２筐体９の第１端縁保持部９ｂの構成を示している。第１端縁保持部９ｂは、第２筐体９の内面側に突き出して形成された表面当接凸部９１、裏面係合爪部９２及び側面当接部９３を有している。表面当接凸部９１は、原稿台２の表面と当接する。裏面係合爪部９２は、表面当接凸部９１よりも原稿台２の第１端縁２ａの先端側において、原稿台２の裏面と係合する。表面当接凸部９１及び裏面係合爪部９２は、原稿台２の第１端縁２ａを上下から挟み込んで上下方向に保持する。さらに、裏面係合爪部９２は、第２筐体９の内面側に突出して原稿台２の第１端縁２ａの先端と当接する先端当接部９２ａと、先端当接部９２ａの先端部から第２筐体９の内側に突出して原稿台２の第１端縁２ａの先端と係合し、第１端縁２ａを原稿台２の長手方向に保持する先端係合部９２ｂを有している。また、側面当接部９３は、原稿台２の側面と当接し、原稿台２を短手方向に保持する。なお、表面当接凸部９１は、原稿台２の第１端縁２ａの側に斜面９１ａを有している。また、裏面係合爪部９２の先端当接部９２ａには、原稿台２の回転の際に、第１端縁２ａの先端と当接する先端当接突起９２ｃが形成されている。
【００１７】
図４及び図５は、第２筐体９の第２端縁保持部９ｃの構成を示している。第２端縁保持部９ｃには、原稿台２の第２端縁に沿って摺動する摺動部材１１が装着される。この第２端縁保持部９ｃは、摺動部材１１の摺動をガイドするガイド係合爪部９４と、上記側面当接部９３を有している。摺動部材１１は、原稿台２の第２端縁２ｂに装着される第１溝１１ａと、ガイド係合爪部９４が挿入される第２溝１１ｂを有し、原稿台２及びガイド係合爪部９４に対して第２筐体９の短手方向に摺動自在とされている。原稿台２の第２端縁２ｂが第１溝１１ａに差し込まれることにより、摺動部材１１が第２端縁２ｂに装着される。ガイド係合爪部９４は、第２筐体９の内面側に突き出して、かつ原稿台２の第２端縁２ｂと平行に形成されており、開口９ａの側に突出して形成された先端部９４ａが摺動部材１１の第２溝１１ｂに挿入される。また、ガイド係合爪部９４の端部には、摺動部材１１と当接して、摺動部材１１を位置決めするための凸部９４ｂが形成されている。原稿台２の第２端縁２ｂに装着された摺動部材１１の第２溝１１ｂがガイド係合爪部９４の先端部９４ａと係合することにより、第２端縁２ｂが第２筐体９に保持される。
【００１８】
図６乃至図８は、原稿台２を第２筐体９に装着する手順を示している。まず、矢印Ａで示すように、原稿台２の第２端縁２ｂに一対の摺動部材１１が装着され、矢印Ｂで示すように、第１端縁２ａが表面当接凸部９１と裏面係合爪部９２との間に差し込まれる（図６、図７（ａ）参照）。このとき、原稿台２の第１端縁２ａが表面当接凸部９１の斜面９１ａに沿って装着されるので、作業を容易かつ円滑に行うことができる。
【００１９】
その後、図７（ｂ）に示すように、表面当接凸部９１を支点として矢印Ｃ方向、すなわち第２端縁２ｂが第２端縁保持部９ｃに接近する方向に原稿台２を回転させる。このとき、裏面係合爪部９２に形成されている先端当接突起９２ａと原稿台２の第１端縁２ａの先端との当接状態が維持されるので、原稿台２を正確に位置決めしつつ回転させることができる。以上の作業により、原稿台２の第１端縁２ａと第２筐体９の裏面係合爪部９２とが係合し、原稿台２の第１端縁２ａが第２筐体９の第１端縁保持部９ｂによって保持されることになる。
【００２０】
さらに図８に示すように、摺動部材１１が矢印Ｄ方向に摺動されることにより、摺動部材１１の第２溝１１ｂがガイド係合爪部９４の先端部９４ａと係合する。これによって、原稿台２の第２端縁２ｂが第２筐体９によって保持されることになる。
【００２１】
以上のように、本実施形態の画像読み取り装置１によれば、表面当接凸部９１と裏面係合爪部９２との間に原稿台２の第１端縁２ａを差し込んで、表面当接凸部９１を支点として原稿台２を回転させることにより、裏面係合爪部９２と原稿台２の第１端縁２ａとを係合させることができ、第１端縁２ａが第１端縁保持部９ｂによって保持される。これにより、両面粘着テープを用いることなく原稿台２を容易に第２筐体９に組み込むことができ、画像読み取り装置の生産効率の向上を図ることが可能となる。また、表面当接凸部９１及び裏面係合爪部９２を第２筐体９と一体的に成形することにより、部品点数も抑制することができ、画像読み取り装置の製造コストの削減を図ることができる。また、表面当接凸部９１が斜面部９１ａを有しているので、原稿台２の第１端縁２ａの差し込み作業を容易かつ円滑に行うことができ、生産効率のより一層の向上を図ることができる。また、裏面係合爪部９２に形成されている先端当接突起９２ａが、原稿台２の回転の際に原稿台２の第１端縁２ａの先端と当接するので、原稿台２を正確に位置決めしつつ回転させることができる。これにより、原稿台２の組み込み作業を容易かつ円滑に行うことができ、生産効率のより一層の向上を図ることができる。また、摺動部材１１とガイド係合爪部９４との係合により、原稿台２の第２端縁２ｂを保持することができるので、両面粘着テープを用いることなく原稿台２を容易に第２筐体９に組み込むことができ、画像読み取り装置の生産効率の向上を図ることが可能となる。
【００２２】
なお、本発明は、上記実施形態の構成に限られることなく、少なくとも表面当接凸部９１と裏面係合爪部９２との間に原稿台２の第１端縁２ａを差し込んで、表面当接凸部９１を支点として原稿台２を回転させることにより、裏面係合爪部９２と原稿台２の第１端縁２ａとを係合させて保持し得るように構成されていればよい。また、ガイド係合爪部９４の先端部９４ａを、図８中矢印Ｄ方向に厚みが増加するように、楔状に形成してもよい。この場合においては、楔状の摺動部材１１とガイド係合爪部９４との嵌合により、摺動部材１１を矢印Ｄ方向に固定することができ、第２端縁保持部９ｃの構造をより強固なものとすることができる。
【図面の簡単な説明】
【００２３】
【図１】本発明の一実施形態による画像読み取り装置の構成を示す図。
【図２】同装置の原稿台及び第２筐体の構成を示す斜視図。
【図３】第２筐体の第１端縁保持部の構成を示す斜視図。
【図４】第２筐体の第２端縁保持部の構成を示す斜視図。
【図５】同第２端縁保持部の構成を示す断面図。
【図６】原稿台を第２筐体に装着する手順を示す斜視図。
【図７】原稿台の第１端縁を第１端縁保持部に装着する手順を示す断面図。
【図８】原稿台の第２端縁を第２端縁保持部に装着する手順を示す斜視図。
【符号の説明】
【００２４】
１    画像読み取り装置
２    原稿台
４    密着型イメージセンサ（画像読み取り手段）
９    第２筐体
９ａ    開口
９ｂ    第１端縁保持部
９ｃ    第２端縁保持部
９１    表面当接凸部
９２    裏面係合爪部
【図１】
2009141701.tif 000003
【図２】
2009141701.tif 000004
【図３】
2009141701.tif 000005
【図４】
2009141701.tif 000006
【図５】
2009141701.tif 000007
【図６】
2009141701.tif 000008
【図７】
2009141701.tif 000009
【図８】
2009141701.tif 000010